(57)【要約】【課題】被検者から採取した検体を正確に管理することが可能なシステムを低コストで提供する。【解決手段】被検者から採取した検体を収容するための容器３２に設けられた記憶媒体３３から、記憶媒体３３に記憶されている容器３２の識別情報を取得する識別情報取得部２２０ｅと、被検者から採取された検体の位置を示す採取位置情報を入力する採取位置情報入力部２２１ｅと、被検者の識別情報を取得する被検者識別情報取得部２２２ｅと、識別情報取得部２２０ｅによって取得された容器３２の識別情報と、容器３２の識別情報の取得後に採取位置情報入力部２２１ｅによって入力された採取位置情報と、被検者識別情報取得部２２２ｅによって取得された被検者の識別情報とを対応付けて記録する制御を行う記録制御部２２３ｅと、を備える。【選択図】図４
2011075454.tif 000002
【特許請求の範囲】
【請求項１】
被検者から採取した検体を収容するための容器に設けられた記憶媒体から、前記記憶媒体に記憶されている前記容器の識別情報を取得する識別情報取得部と、
前記被検者から採取された検体の位置を示す採取位置情報を入力する採取位置情報入力部と、
前記被検者の識別情報を取得する被検者識別情報取得部と、
前記識別情報取得部によって取得された前記容器の識別情報と、前記容器の識別情報の取得後に前記採取位置情報入力部によって入力された前記採取位置情報と、前記被検者識別情報取得部によって取得された前記識別情報とを対応付けて記録する制御を行う記録制御部と、を備える検体管理システム。
【請求項２】
請求項１記載の検体管理システムであって、
前記識別情報取得部によって前記容器の識別情報が取得された後に、前記検体の採取対象となっている臓器を示す画像を表示する表示部を備え、
前記採取位置情報入力部は、前記表示部に表示された前記画像のうちの指定された領域を示す情報を、前記採取位置情報として入力する検体管理システム。
【請求項３】
請求項２記載の検体管理システムであって、
前記表示部に設けられたタッチパネルを備え、
前記採取位置情報入力部は、前記表示部に表示された前記画像に対して前記タッチパネルにより指定された領域を示す情報を前記採取位置情報として入力する検体管理システム。
【請求項４】
請求項１記載の検体管理システムであって、
マイクロフォンを備え、
前記採取位置情報入力部が、前記マイクロフォンによって入力された音声データを前記採取位置情報として入力する検体管理システム。
【請求項５】
請求項１〜４のいずれか１項記載の検体管理システムであって、
前記記憶媒体が、無線により情報を読み書き可能な素子である検体管理システム。
【請求項６】
請求項１記載の検体管理システムであって、
前記記憶媒体が、無線により情報を読み書き可能な素子であり、
前記容器を収容可能な収容部を備え、
前記収容部は、前記検体を採取する対象となる臓器の画像が形成された面と、前記面を分割した各ブロックに配置される前記識別情報取得部とを含み、
前記採取位置情報入力部は、複数の前記ブロックのうち前記識別情報を取得した前記識別情報取得部が配置された前記ブロックに対応する前記画像上の領域を示す情報を前記採取位置情報として入力する検体管理システム。
【請求項７】
請求項５又は６記載の検体管理システムであって、
前記記録制御部が、前記採取位置情報と前記被検者の識別情報を前記記憶媒体に記録する制御を行う検体管理システム。
【請求項８】
請求項１〜６のいずれか１項記載の検体管理システムであって、
前記記録制御部が、前記採取位置情報と、前記識別情報取得部によって取得された前記容器の識別情報と、前記被検者の識別情報とを対応付けてデータベースに記録する制御を行う検体管理システム。
【請求項９】
被検者から採取した検体を収容するための容器に設けられた記憶媒体から、前記記憶媒体に記憶されている前記容器の識別情報を取得する識別情報取得ステップと、
前記被検者から採取された検体の採取位置情報を入力する入力ステップと、
前記被検者の識別情報を取得する識別情報取得ステップと、
前記容器の識別情報を取得した後に入力された前記採取位置情報と、前記容器の識別情報と、前記識別情報取得ステップで取得した前記識別情報とを対応付けて記録する制御を行う記録制御ステップと、を備える検体管理方法。
【請求項１０】
請求項９記載の検体管理方法であって、
前記容器の識別情報を取得した後に、前記検体の採取対象となっている臓器を示す画像を表示装置に表示させる表示ステップを備え、
前記入力ステップでは、前記表示装置に表示された前記画像のうちの指定された領域を示す情報を前記採取位置情報として入力する検体管理方法。
【請求項１１】
請求項１０記載の検体管理方法であって、
前記入力ステップでは、前記表示装置に表示された前記画像に対し、前記表示装置に設けられたタッチパネルにより指定された領域を示す情報を前記採取位置情報として入力する検体管理方法。
【請求項１２】
請求項９記載の検体管理方法であって、
前記入力ステップでは、音声で入力された音声データを前記採取位置情報として入力する検体管理方法。
【請求項１３】
請求項９〜１２のいずれか１項記載の検体管理方法であって、
前記記憶媒体が、無線により情報を読み書き可能な素子である検体管理方法。
【請求項１４】
請求項９記載の検体管理方法であって、
前記記憶媒体が、無線により情報を読み書き可能な素子であり、
前記入力ステップでは、前記検体を採取する対象となる臓器の画像が形成された面と、前記面を分割した各ブロックに配置される前記容器の識別情報を取得するための識別情報取得素子とを含み、かつ、前記容器を収容可能な収容部、の複数の前記ブロックのうち、前記識別情報を取得した前記識別情報取得素子が配置された前記ブロックに対応する前記画像上の領域を示す情報を前記採取位置情報として入力する検体管理方法。
【請求項１５】
請求項１３又は１４記載の検体管理方法であって、
前記記録制御ステップでは、前記採取位置情報と前記被検者の識別情報を前記記憶媒体に記録する検体管理方法。
【請求項１６】
請求項９〜１４のいずれか１項記載の検体管理方法であって、
前記記録制御ステップでは、前記採取位置情報と、前記容器の識別情報と、前記被検者の識別情報とを対応付けてデータベースに記録する検体管理方法。
【請求項１７】
コンピュータに、請求項９〜１６のいずれか１項記載の方法の各ステップを実行させるための検体管理プログラム。
【発明の詳細な説明】
【技術分野】
【０００１】
本発明は、被検者から採取した検体を管理する検体管理システム、検体管理方法、検体管理プログラムに関する。
【背景技術】
【０００２】
病院等の医療機関において、診療等のために、被検者としての生体から採取した病変部位等の特定部位の生体組織である検体を採取することが行われている。このように採取された検体は検体容器に収容されて管理される。検体収容後、検体容器は、医療機関の名称、被検者の名前、検査種別及び検査項目等が記入された検査依頼書とともに、検体の検査を行う検査機関に送られ、検査機関にて検体の検査が行われることになる。
【０００３】
内視鏡検査において、検体採取から検体検査までの流れは次のようになっている。まず、検査医が、患者から採取した検体を検体容器に収容する。その後、医療機関の名称、被検者の名前、検査種別及び検査項目等を印字したラベルを印刷し、このラベルを検体容器に貼り付けて、検査依頼書と共に病理部門に渡す。病理医は、検体容器に貼り付けられたラベルと検体依頼書により、その検体容器に収容されている検体が、誰のどこから採取されたものなのかを知ることができ、検査を効率的に進めることができる。
【０００４】
このように、従来はラベルによって検体容器を管理しているが、この方法だと、ラベルを別の検体容器に貼り付けてしまう可能性があり、検体の取り違い等が発生してしまう。また、ラベルを印刷して検体容器に貼り付ける作業が必要であり、この作業が面倒である。
【０００５】
そこで、検体容器にＲＦＩＤを設け、このＲＦＩＤに、被検体及び被検体から採取した検体に関する個体識別情報を書き込むことで、検体容器にラベルを貼り付けることなく、検体容器を管理することができるシステムが開示されている（特許文献１参照）。
【０００６】
しかし、この個体識別情報は、患者情報、検体を採取した部位の画像、及び該画像が記憶された時間等の情報であり、検体を採取した部位がどこかを示す情報は含まれていない。検体を採取した部位の画像は含まれているが、これでは検体採取位置がどこなのかを正確に特定することができない。また、ＲＦＩＤに画像を記憶させているため、ＲＦＩＤの記憶容量を大きくする必要があり、コストが嵩んでしまう。
【先行技術文献】
【特許文献】
【０００７】
【特許文献１】特開２００６−２３０４９０号公報
【発明の概要】
【発明が解決しようとする課題】
【０００８】
本発明は上記事情に鑑みてなされたものであり、被検者から採取した検体を正確に管理することが可能なシステムを低コストで提供することを目的とする。
【課題を解決するための手段】
【０００９】
本発明の検体管理システムは、被検者から採取した検体を収容するための容器に設けられた記憶媒体から、前記記憶媒体に記憶されている前記容器の識別情報を取得する識別情報取得部と、前記被検者から採取された検体の位置を示す採取位置情報を入力する採取位置情報入力部と、前記被検者の識別情報を取得する被検者識別情報取得部と、前記識別情報取得部によって取得された前記容器の識別情報と、前記容器の識別情報の取得後に前記採取位置情報入力部によって入力された前記採取位置情報と、前記被検者識別情報取得部によって取得された前記識別情報とを対応付けて記録する制御を行う記録制御部と、を備える。
【００１０】
本発明の検体管理方法は、被検者から採取した検体を収容するための容器に設けられた記憶媒体から、前記記憶媒体に記憶されている前記容器の識別情報を取得する識別情報取得ステップと、前記被検者から採取された検体の採取位置情報を入力する入力ステップと、前記被検者の識別情報を取得する識別情報取得ステップと、前記容器の識別情報を取得した後に入力された前記採取位置情報と、前記容器の識別情報と、前記識別情報取得ステップで取得した前記識別情報とを対応付けて記録する制御を行う記録制御ステップと、を備える。
【００１１】
本発明の検体管理プログラムは、コンピュータに、前記検体管理方法の各ステップを実行させるためのプログラムである。
【発明の効果】
【００１２】
本発明によれば、被検者から採取した検体を正確に管理することが可能なシステムを低コストで提供することができる。
【図面の簡単な説明】
【００１３】
【図１】病院内システム全体構成を示す図
【図２】図１に示すシステムにおける内視鏡部門システムの概略構成を示す図
【図３】図２に示す内視鏡部門システムにおけるクライアントＰＣ２２の概略構成を示す図
【図４】図３に示したクライアントＰＣが検体管理プログラムを実行したときの機能を示す図
【図５】検体管理プログラムにより実行される処理の流れを示すフローチャート
【図６】検体を採取する対象となっている臓器が胃のときに表示部に表示される画面の例を示した図
【図７】図６に示す画面の表示後に利用者によって採取位置情報が指定されたときの画面例を示す図
【図８】図２に示すシステムのクライアントＰＣに接続される収容部の変形例を示す平面図
【図９】図８に示す収容部の斜視図
【発明を実施するための形態】
【００１４】
以下、本発明の実施形態について図面を参照して説明する。
【００１５】
図１は、病院内システム全体構成を示す図である。図１に示すシステムは、病院情報システム（ＨＩＳ：Ｈｏｓｐｉｔａｌ  Ｉｎｆｏｒｍａｔｉｏｎ  Ｓｙｓｔｅｍ）１０と、内視鏡部門システム２０と、病理部門システム３０と、医用画像保管システム（ＰＡＣＳ：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）４０と、他部門システム５０とを備え、これらは院内ＬＡＮ６０に接続されて相互に連携可能となっている。
【００１６】
ＨＩＳ１０は、医療事務会計システム、診療予約システム、診療情報システム等を含む包括的なシステムであり、電子カルテデータベース等を有する。電子カルテデータベースには、患者の診療情報を記録した電子カルテが保管される。
【００１７】
他の診療科から、内視鏡部門に対して検査依頼が行われる場合の検査の依頼（オーダ）に関する情報（以下、検査依頼情報という）が発行されると、この検査依頼情報がＨＩＳ１０を介して内視鏡部門システム２０に送信される。
【００１８】
検査依頼情報には、例えば、患者情報、オーダーキー情報（「オーダ番号」「発生日時」等）、依頼元情報（「依頼科名」「依頼医師名」「依頼日」等）、オーダ情報（「依頼病名」「検査目的」「検査種別」「検査項目」「検査部位」「コメント」等）、検査予約情報（「検査日」「実施時刻」等）等が含まれる。患者情報は、患者に関する情報であり、「患者固有の情報である患者ＩＤ」、「患者氏名」、「生年月日」、「年齢」、「性別」、「入院／外来区分」等が含まれる。
【００１９】
内視鏡部門システム２０は、内視鏡部門の管理を行うためのシステムである。
【００２０】
病理部門システム３０は、病理部門の管理を行うためのシステムである。
【００２１】
ＰＡＣＳ４０は、内視鏡装置、ＣＴ、ＭＲＩ等の医療画像診断装置からの検査画像を電子的に保存、検索、解析するシステムである。
【００２２】
他部門システム５０は、その他の部門の管理を行うためのシステムである。
【００２３】
図２は、図１に示すシステムにおける内視鏡部門システムの一例の概略構成を示す図である。内視鏡部門には、受付２０Ａと、前処置室２０Ｂと、複数の内視鏡検査室（以下、検査室）２０Ｃと、洗浄室２０Ｄと、カンファレンス室２０Ｅとが含まれる。
【００２４】
受付２０Ａは、検査の受付を行う場所である。前処置室２０Ｂは、内視鏡検査の前に行う問診及び前処置を行うための部屋である。検査室２０Ｃは、内視鏡検査を行うための部屋である。洗浄室２０Ｄは、内視鏡検査に用いたスコープ等の洗浄を行うための部屋である。
【００２５】
図２に示す内視鏡部門システム２０は、内視鏡部門サーバ２１と、複数のクライアントＰＣ２２と、画像入力装置２３と、内視鏡検査装置２４と、洗浄管理装置２５と、洗浄機２６とを備える。内視鏡部門サーバ２１、複数のクライアントＰＣ２２、画像入力装置２３、及び洗浄管理装置２５は部門内ＬＡＮ２７に接続されている。部門内ＬＡＮ２７は院内ＬＡＮ６０に接続されている。
【００２６】
図３は、図２に示す内視鏡部門システムにおけるクライアントＰＣの内部構成を示すブロック図である。図３に示すように、各クライアントＰＣ２２は、入力部２２ａ、表示部２２ｂ、記録部２２ｃ、送受信部２２ｄ、及び制御部２２ｅで構成される。
【００２７】
入力部２２ａは、各種入力を行うための入力手段であり、キーボード、タッチパネル等の入力デバイスや、マウス・トラックボール等のポインティングデバイスから構成されている。
【００２８】
表示部２２ｂは、画像、レポート等の各種表示を行うための表示装置であり、ＬＣＤやＣＲＴなどで構成されている。
【００２９】
記録部２２ｃは、各種データを記録するためのハードディスク等で構成されている。
【００３０】
送受信部２２ｄは、送受信インタフェイス回路などから構成され、各種指示、各種要求、及び各種データを、部門内ＬＡＮ２７を介して送受信する処理を実行する。
【００３１】
制御部２２ｅは、ＣＰＵ（ｃｅｎｔｒａｌ  ｐｒｏｃｅｓｓｉｎｇ  ｕｎｉｔ）等の演算処理装置と、プログラムを格納するＲＯＭ（ｒｅａｄ−ｏｎｌｙ  ｍｅｍｏｒｙ）等のプログラム格納部と、記憶部とを含む。プログラム格納部に格納されるプログラムには、検体を管理するための検体管理プログラムが含まれる。
【００３２】
制御部２２ｅ内の記憶部は、上記プログラムを実行するときのワークエリアを構成するシステムメモリや不揮発性ＲＡＭ（ｒａｎｄｏｍ  ａｃｃｅｓｓ  ｍｅｍｏｒｙ）などで構成される。
【００３３】
制御部２２ｅは、上記プログラム、部門内ＬＡＮ２７を介し外部から送信される各種の要求、及び入力部２２ａから入力される指示情報などに従ってクライアントＰＣ２２の各部の制御を行う。
【００３４】
図３に示すように、内視鏡検査室２０Ｃに設置されたクライアントＰＣ２２の制御部２２ｅには、収容部３０が接続されている。
【００３５】
収容部３０は、被検者から採取した検体を収容するための検体容器３２を収容することのできる箱型の容器である。検体容器３２には、その容器を識別するための識別情報である容器ＩＤが記憶された記憶媒体である無線タグ３３が設けられている。無線タグ３３は、無線によって情報を読み書きすることが可能な記憶媒体であり、その技術としてはＲＦＩＤ（ｒａｄｉｏ  ｆｒｅｑｕｅｎｃｙ  ｉｄｅｎｔｉｆｉｃａｔｉｏｎ）が知られている。無線タグ３３は、検体容器３２の一部に埋め込まれたり、貼り付けられたりしている。
【００３６】
クライアントＰＣ２２に接続された収容部３０には、ＲＦＩＤドライバ３１が設けられている。ＲＦＩＤドライバ３１は、無線タグ３３を駆動するものであり、無線タグ３３に情報を書き込んだり、無線タグ３３から情報を読み込んだりする。ＲＦＩＤドライバ３１はクライアントＰＣ２２の制御部２２ｅに接続されて、制御部２２ｅにより制御される。
【００３７】
図４は、図３に示したクライアントＰＣ２２の制御部２２ｅが上記検体管理プログラムを実行したときの機能を示す図である。図４に示したように、クライアントＰＣ２２の制御部２２ｅは、上記検体管理プログラムを実行すると、識別情報取得部２２０ｅ、採取位置情報入力部２２１ｅ、被検者識別情報取得部２２２ｅ、及び記録制御部２２３ｅとして機能する。
【００３８】
識別情報取得部２２０ｅは、ＲＦＩＤドライバ３１を制御して、無線タグ３３に記憶されている検体容器３２の識別情報を該無線タグ３３から取得する。
【００３９】
採取位置情報入力部２２１ｅは、ユーザから入力部２２ａを介して指定された、被検者から採取された検体の位置を示す採取位置情報を入力する。
【００４０】
被検者識別情報取得部２２２ｅは、検体を採取する対象となる被検者の識別情報（患者の名称、患者ＩＤ等の患者を特定できる情報）をデータベースＤＢから取得又は入力部２２ａを介して取得する。
【００４１】
記録制御部２２３ｅは、識別情報取得部２２０ｅで取得した検体容器３２の識別情報と、該識別情報の取得後に採取位置情報入力部２２１ｅによって入力した採取位置情報と、被検者識別情報取得部２２２ｅで取得した被検者の識別情報とを対応付けて記録する制御を行う。
【００４２】
図１に戻り、画像入力装置２３及び内視鏡検査装置２４は、複数の検査室２０Ｃの各々に設置されている。
【００４３】
画像入力装置２３は、それが設置される検査室２０Ｃの内視鏡検査装置２４に接続されている。画像入力装置２３は、接続された内視鏡検査装置２４で撮影して得られた画像データを内視鏡部門サーバ２１に入力するための装置である。画像入力装置２３によって入力された画像データは、内視鏡部門サーバ２１の制御により、ＰＡＣＳ４０によって保管される。なお、内視鏡検査装置２４として、画像入力装置２３を一体化したものを用いてもよい。
【００４４】
洗浄機２６と洗浄管理装置２５は洗浄室２０Ｄに設置されている。洗浄機２６は、内視鏡検査に用いたスコープ等の洗浄を行う機器である。
【００４５】
洗浄管理装置２５は、洗浄機２６に接続されており、洗浄機２６による洗浄履歴等の情報を内視鏡部門サーバ２１に登録するためのコンピュータである。
【００４６】
内視鏡部門サーバ２１は、クライアントＰＣ２２、画像入力装置２３、及び洗浄管理装置２５を統括制御するコンピュータである。内視鏡部門サーバ２１には、データベースＤＢが内蔵されており、このデータベースＤＢに各種情報（検査依頼情報、検査結果情報等）が格納される。
【００４７】
クライアントＰＣ２２には、所定のアプリケーションプログラムがインストールされており、このプログラムにより、データベースＤＢに記録されているデータの参照及び編集、データベースへのデータの登録等が可能となっている。
【００４８】
次に、内視鏡検査室２０Ｃにおいて検査医が、患者に対して内視鏡検査を実施し、その患者から検体を採取するときの流れについて説明する。図５は、検体管理プログラムにより実行される処理の流れを示すフローチャートである。この説明における制御部２２ｅの実行する処理の流れについては、この図５を参照する。
【００４９】
まず、制御部２２ｅは、検体を採取する対象となる被検者の識別情報の入力を要求する。この要求は、例えば表示部２２ｂに文章を表示することで行う。この要求にしたがい、検査医は、被検者の識別情報をクライアントＰＣ２２の制御部２２ｅに入力する。この識別情報の入力は、被検者の持つ磁気カード診察券からクライアントＰＣ２２の制御部２２ｅに接続された磁気カードリーダにより読み取って入力する方法、入力部２２ａを介して検査医が手動で入力する方法、データベースＤＢに登録されている検査依頼情報の中から対象となる被検者の情報を、入力部２２ａを介して選択することで該検査依頼情報に含まれる患者ＩＤを入力する方法等を採用すれば良い。識別情報が入力されると、この識別情報が制御部２２ｅによって取得され、メモリに一時記憶される。
【００５０】
次に、検査医は、検体を採取すると、採取した検体を検体容器３２に収納し、この検体容器３２を収容部３０の中に置く。検体容器３２が収容部３０の中に置かれると、ＲＦＩＤドライバ３１が、検体容器３２に設けられた無線タグ３３から容器ＩＤを読み取る。読み取られた容器ＩＤは制御部２２ｅによって取得され（ステップＳ１）、制御部２２ｅ内のメモリに一時記憶される（ステップＳ２）。
【００５１】
次に、制御部２２ｅは、容器ＩＤを取得したことをトリガとして、表示部２２ｂに、検体を採取する対象となっている臓器の図（例えばシェーマ図）を表示させる（ステップＳ３）。
【００５２】
図６は、検体を採取する対象となっている臓器が胃のときに表示部２２ｂに表示される画面の例を示した図である。なお、ここで表示させる臓器は、例えばクライアントＰＣ２２上で検査医によって設定できるようにしておけば良い。または、検査中の検査依頼情報に含まれる検査項目の情報から自動的に設定するようにしてもよい。
【００５３】
次に、検査医は、表示部２２ｂに表示されたシェーマ図Ｓを確認し、検体を採取した位置をシェーマ図Ｓに対して指定する。位置の指定の方法としては例えば次の２つが挙げられる。１つは、入力部２２ａに含まれるマウスの操作により、検体採取した位置を画面上で領域指定する方法である。もう１つは、入力部２２ａに含まれるタッチパネルの操作により、シェーマ図Ｓの任意の領域を画面上で指定する方法である。
【００５４】
図７は、図６に示す画面の表示後に利用者によって採取位置情報が指定されたときの画面例を示す図である。図７に示すように、マウス操作又はタッチパネル操作により画面上で領域が指定されると、制御部２２ｅは、マウス操作又はタッチパネル操作により指定された領域Ｍをシェーマ図Ｓに重ねて表示させる。
【００５５】
次に、検査医は、表示部２２ｂに表示される確定ボタンＢをマウス操作又はタッチパネル操作により押下して、指定した領域Ｍを確定する。確定ボタンＢが押下されると、制御部２２ｅは、指定された領域Ｍを、収容部３０に置かれている検体容器３２（ステップＳ１で容器ＩＤを取得した検体容器）に収納された検体の採取位置を示す採取位置情報として入力し（ステップＳ４）、これをメモリに記憶する（ステップＳ５）。
【００５６】
次に、制御部２２ｅは、ステップＳ１で取得した容器ＩＤと、この容器ＩＤの取得後にステップＳ４で入力した採取位置情報と、最初に入力された被検者の識別情報である患者ＩＤとを対応付けて記録する制御を行い（ステップＳ６）、処理を終了する。
【００５７】
この対応付けの方法としては、例えば次の２つがある。１つは、無線タグ３３に採取位置情報と患者ＩＤとを記録する方法である。この方法によれば、無線タグ３３に、容器ＩＤと採取位置情報と患者ＩＤとがそれぞれ対応付けて記録されることになる。
【００５８】
もう１つは、内視鏡部門サーバ２１のデータベースＤＢに登録されている患者ＩＤに対応付けて、採取位置情報と容器ＩＤとをデータベースＤＢに記録する方法である。この方法によれば、データベースＤＢに、容器ＩＤと採取位置情報と患者ＩＤとがそれぞれ対応付けて記録されることになる。
【００５９】
なお、患者ＩＤの制御部２２ｅへの入力は、採取位置情報の入力後に行っても良い。
【００６０】
以上のように、図３に示したクライアントＰＣ２２によれば、検査医が、被検者の識別情報を入力した後、検体容器３２を収容部３０に入れる作業に続けて、採取位置情報を指定する作業を行うだけで、検体容器３２の容器ＩＤと、その検体容器３２に収納されている検体を採取した患者の患者ＩＤと、その検体の採取位置情報とを対応付けて記録することができる。このため、検体が誰のどこから採取されたものなのかを容易に管理することができるようになる。
【００６１】
また、図３に示したクライアントＰＣ２２によれば、検体容器３２に設けられた無線タグ３３には検査画像が記録されることはないため、無線タグ３３の記憶容量を小さくすることができ、システムコストを抑えることができる。
【００６２】
また、図３に示したクライアントＰＣ２２によれば、検体容器３２の容器ＩＤを取得した時点で、採取位置情報の入力を可能としているため、検体の管理を正確に行うことが可能となる。
【００６３】
例えば、検体容器３２を収容部３０に入れない状態で採取位置情報の入力を可能にしてしまうと、その入力した採取位置情報をあらゆる検体容器に対応付けることができてしまい、記録された採取位置情報の信頼性が低下してしまう恐れがある。そこで、上述してきたように、検体容器３２を収容部３０に入れた時点で採取位置情報を入力可能とすることで、検体容器を１つに固定した状態で採取位置情報を入力することができる。このため、上述したような信頼性の低下を防ぐことができる。
【００６４】
なお、採取位置情報をメモリに一時記憶してからそれを無線タグ３３又はデータベースＤＢに記録するまでの間に、ＲＦＩＤドライバ３１によって別の容器ＩＤが読み出された場合には、メモリに記憶した採取位置情報を消去することが好ましい。これにより、信頼性を更に向上させることができる。
【００６５】
また、制御部２２ｅが容器ＩＤを取得してから一定時間以上経過した場合に、採取位置情報の入力を不可に戻す制御を制御部２２ｅが行っても良い。例えば、容器ＩＤを取得してから一定時間以上経過した場合には、表示部２２ｂに、「一定時間が過ぎたため、検体容器をもう１度入れてください」とメッセージを表示して、シェーマ図表示をオフにすれば良い。このようにすることで、検体容器３２を収容部３０に入れる作業を行った後、その作業に続けて採取位置情報の入力作業を行うよう促すことができ、採取位置情報を正確に入力する可能性を高くすることができる。
【００６６】
以下、図２に示したシステムにおけるクライアントＰＣ２２の変形例を説明する。
【００６７】
＜第一の変形例＞
上記説明では、採取位置情報の指定をマウス又はタッチパネル等の操作インタフェイスによって行うものとしたが、この指定をマイクロフォンによる音声入力によって行えるようにしても良い。この場合、制御部２２ｅが、マイクロフォンによって入力された音声データを採取位置情報として入力する。この構成により、音声によって採取位置を指定することができるため、簡単な作業で採取位置情報の記録が可能となる。
【００６８】
＜第二の変形例＞
上記説明では、検体容器３２に設けられる記憶媒体として無線タグ３３を用いているが、これはバーコード、二次元コード等であっても良い。この場合、ＲＦＩＤドライバ３１の代わりにバーコード又は二次元コードを読み取る装置を搭載しておき、利用者が、検体容器３２に付されたバーコード又は二次元コードをこの読取装置に読み取らせれば良い。
【００６９】
ただし、この構成では、患者ＩＤと採取位置情報を検体容器３２側に記録させることはできないため、データベースＤＢに採取位置情報を記録する方法を採用する必要がある。
【００７０】
＜第三の変形例＞
上記説明では、検体容器３２を収容部３０に入れる作業と、採取位置の指定を行う作業とを別々に行うものとしたが、これらをほぼ同時に行うことができる構成も考えられる。
【００７１】
図８は、図２に示すシステムのクライアントＰＣに接続される収容部の変形例を示す平面図である。図９は、図８に示す収容部の斜視図である。図８、９に示す収容部３０Ａは、複数のブロック３０１Ａを備える。各ブロック３０１Ａは、図３に示した収容部３０と同じ構成となっている。各ブロック３０１Ａの底面には、検体の採取対象となり得る臓器を示す図（図８、９の例では胃のシェーマ図）の一部が印刷されている。全てのブロック３０１Ａは二次元状に隙間無く配列されており、この結果、収容部３０Ａの底面３０３Ａには、臓器のシェーマ図Ｇが視認可能に形成された状態となっている
【００７２】
。
このように構成された収容部３０Ａを用いた場合、クライアントＰＣ２２の制御部２２ｅは、複数のブロック３０１Ａのうち、容器ＩＤを取得したＲＦＩＤドライバ３１が配置されたブロックに対応するシェーマ図Ｇ上の領域（シェーマ図Ｇ全体における、そのブロックの底面に形成された画像の位置）を示す情報を採取位置情報として入力する点のみが、図３に示したものとは異なる。
【００７３】
このような構成により、収容部３０Ａの任意のブロック３０１Ａに検体容器３２を置くことで、そのブロック３０１Ａに対応するシェーマ図Ｇ上の領域を示す情報が採取位置情報として記録される。このため、より簡単な作業で採取位置情報の記録が可能となる。
【００７４】
また、この構成によれば、検体容器３２をいずれかのブロック３０１Ａに入れたのとほぼ同時に、採取位置情報と患者ＩＤと容器ＩＤとを対応付けて記録することができるため、検体容器３２を収容部３０に入れたまま、採取位置情報の指定を忘れてしまった等ということを無くすことができる。
【００７５】
なお、検体容器３２を意図しないブロック３０１Ａに入れてしまうことも考えられる。このため、既に採取位置情報が記録された検体容器３２であっても、ブロック３０１Ａに入れることで、新たな採取位置情報を記録しなおせるようにしておくことが好ましい。
【００７６】
以上の説明では、各ブロック３０１Ａの底面にシェーマ図Ｇの一部が印刷されているものとしたが、この底面に表示素子を設け、ここにシェーマ図Ｇの一部を表示させる構成としても良い。この構成によれば、シェーマ図を他のものに簡単に変更することができるため、１つの収容部３０Ａで、全ての検査対象臓器に対応することができる。
【００７７】
また、以上の説明では、収容部３０Ａが、図３に示した収容部３０と同じ構成のブロック３０１Ａを複数備える構成としたが、これに限らない。例えば、収容部３０Ａを、シェーマ図が形成されたシートとし、このシートの上に検体容器３２を置くことで、その検体容器３２が置かれた位置を、シートに設けた圧電センサ等により検知し、検知した位置に対応するシェーマ図の領域を示す情報を採取位置情報として記録しても良い。
【００７８】
以上のように、本明細書には次の事項が開示されている。
【００７９】
開示された検体管理システムは、被検者から採取した検体を収容するための容器に設けられた記憶媒体から、前記記憶媒体に記憶されている前記容器の識別情報を取得する識別情報取得部と、前記被検者から採取された検体の位置を示す採取位置情報を入力する採取位置情報入力部と、前記被検者の識別情報を取得する被検者識別情報取得部と、前記識別情報取得部によって取得された前記容器の識別情報と、前記容器の識別情報の取得後に前記採取位置情報入力部によって入力された前記採取位置情報と、前記被検者識別情報取得部によって取得された前記識別情報とを対応付けて記録する制御を行う記録制御部と、を備える。
【００８０】
この構成により、容器の識別情報が取得された後に採取位置情報が入力されると、その採取位置情報と、その容器の識別情報と、被検者の識別情報とが対応付けて記録される。例えば、システム利用者は、容器の識別情報を取得するための作業の後に、採取位置情報を入力するための作業を行うだけで、検体が誰のどこから採取されたものなのかを容易に管理することができるようになる。また、作業を続けて行うことで、容器に間違った採取位置情報が対応付けられてしまうのを防ぐこともできる。容器に設けられた記憶媒体には検査画像が記録されることはないため、システムコストを抑えることができる。
【００８１】
開示された検体管理システムは、前記識別情報取得部によって前記容器の識別情報が取得された後に、前記検体の採取対象となっている臓器を示す画像を表示する表示部を備え、前記採取位置情報入力部は、前記表示部に表示された前記画像のうちの指定された領域を示す情報を、前記採取位置情報として入力する。
【００８２】
この構成により、表示された画像上で採取位置を指定することで、その位置の情報を記録させることができるため、簡単な作業で採取位置情報の記録が可能となる。
【００８３】
開示された検体管理システムは、前記表示部に設けられたタッチパネルを備え、前記採取位置情報入力部は、前記表示部に表示された前記画像に対して前記タッチパネルにより指定された領域を示す情報を前記採取位置情報として入力する。
【００８４】
この構成により、タッチパネルによって採取位置を指定することができるため、採取位置の指定がより簡単になる。
【００８５】
開示された検体管理システムは、マイクロフォンを備え、前記採取位置情報入力部が、前記マイクロフォンによって入力された音声データを前記採取位置情報として入力する。
【００８６】
この構成により、音声によって採取位置を指定することができるため、簡単な作業で採取位置情報の記録が可能となる。
【００８７】
開示された検体管理システムは、前記記憶媒体が、無線により情報を読み書き可能な素子である。
【００８８】
この構成により、システム構築にかかるコストを抑えることができる。
【００８９】
開示された検体管理システムは、前記記憶媒体が、無線により情報を読み書き可能な素子であり、前記容器を収容可能な収容部を備え、前記収容部は、前記検体を採取する対象となる臓器の画像が形成された面と、前記面を分割した各ブロックに配置される前記識別情報取得部とを含み、前記採取位置情報入力部は、複数の前記ブロックのうち前記識別情報を取得した前記識別情報取得部が配置された前記ブロックに対応する前記画像上の領域を示す情報を前記採取位置情報として入力する。
【００９０】
この構成により、収容部の任意のブロックに容器を置くことで、そのブロックに対応する画像上の領域を示す情報が採取位置情報として記録される。このため、簡単な作業で採取位置情報の記録が可能となる。
【００９１】
開示された検体管理システムは、前記記録制御部が、前記採取位置情報と前記被検者の識別情報を前記記憶媒体に記録する制御を行う。
【００９２】
この構成により、記憶媒体の情報を読み取るだけで、その容器内の検体が誰のどこから採取されたものかを知ることができる。ハードウェアとしては、記憶媒体から情報を取得する手段と、記憶媒体に情報を記憶する手段とがあれば良いため、システム構築にかかるコストを抑えることができる。
【００９３】
開示された検体管理システムは、前記記録制御部が、前記採取位置情報と、前記識別情報取得部によって取得された前記容器の識別情報と、前記被検者の識別情報とを対応付けてデータベースに記録する制御を行う。
【００９４】
この構成により、記憶媒体の容量が小さくて済むため、容器のコストを抑えることができる。
【００９５】
開示された検体管理方法は、被検者から採取した検体を収容するための容器に設けられた記憶媒体から、前記記憶媒体に記憶されている前記容器の識別情報を取得する識別情報取得ステップと、前記被検者から採取された検体の採取位置情報を入力する入力ステップと、前記被検者の識別情報を取得する識別情報取得ステップと、前記容器の識別情報を取得した後に入力された前記採取位置情報と、前記容器の識別情報と、前記識別情報取得ステップで取得した前記識別情報とを対応付けて記録する制御を行う記録制御ステップと、を備える。
【００９６】
開示された検体管理方法は、前記容器の識別情報を取得した後に、前記検体の採取対象となっている臓器を示す画像を表示装置に表示させる表示ステップを備え、前記入力ステップでは、前記表示装置に表示された前記画像のうちの指定された領域を示す情報を前記採取位置情報として入力する。
【００９７】
開示された検体管理方法は、前記入力ステップでは、前記表示装置に表示された前記画像に対し、前記表示装置に設けられたタッチパネルにより指定された領域を示す情報を前記採取位置情報として入力する。
【００９８】
開示された検体管理方法は、前記入力ステップでは、音声で入力された音声データを前記採取位置情報として入力する。
【００９９】
開示された検体管理方法は、前記記憶媒体が、無線により情報を読み書き可能な素子である。
【０１００】
開示された検体管理方法は、前記記憶媒体が、無線により情報を読み書き可能な素子であり、前記入力ステップでは、前記検体を採取する対象となる臓器の画像が形成された面と、前記面を分割した各ブロックに配置される前記容器の識別情報を取得するための識別情報取得素子とを含み、かつ、前記容器を収容可能な収容部、の複数の前記ブロックのうち、前記識別情報を取得した前記識別情報取得素子が配置された前記ブロックに対応する前記画像上の領域を示す情報を前記採取位置情報として入力する。
【０１０１】
開示された検体管理方法は、前記記録制御ステップでは、前記採取位置情報と前記被検者の識別情報を前記記憶媒体に記録する。
【０１０２】
開示された検体管理方法は、前記記録制御ステップでは、前記採取位置情報と、前記容器の識別情報と、前記被検者の識別情報とを対応付けてデータベースに記録する。
【０１０３】
開示された検体管理プログラムは、コンピュータに、前記検体管理方法の各ステップを実行させるためのプログラムである。
【符号の説明】
【０１０４】
２０Ｃ  内視鏡検査室
２２ａ  入力部
２２ｂ  表示部
２２ｅ  制御部
２４  内視鏡検査装置
ＤＢ  データベース
【図１】
2011075454.tif 000003
【図２】
2011075454.tif 000004
【図３】
2011075454.tif 000005
【図４】
2011075454.tif 000006
【図５】
2011075454.tif 000007
【図６】
2011075454.tif 000008
【図７】
2011075454.tif 000009
【図８】
2011075454.tif 000010
【図９】
2011075454.tif 000011